【手続補正書】
【提出日】平成17年5月9日(2005.5.9)
【手続補正１】
【補正対象書類名】明細書
【補正対象項目名】全文
【補正方法】変更
【補正の内容】
【書類名】      明細書
【発明の名称】  検版装置および検版方法
【特許請求の範囲】
【請求項１】  最終出力物を出力するための最終出力物用画像データが作成される最終出力工程と、当該最終出力物用画像データを校正するための校正用画像データが作成される校正出力工程とを含む製版工程で電子的な検版を行う検版装置であって、
前記最終出力物用画像データを保存する最終出力保存手段と、
前記校正用画像データを保存する校正出力保存手段と、
前記最終出力保存手段に保存される最終出力物用画像データのデータ形式および解像度を、前記校正出力保存手段に保存される校正用画像データのデータ形式および解像度に合わせる変換処理を行うことにより、変換された最終出力物用画像データを作成する変換手段と、
前記変換された最終出力物用画像データと前記校正用画像データとを比較する画像比較処理を実行することにより、画像の相違を検出する画像比較手段と、
前記画像比較手段により検出される画像の相違を示す検出結果を出力する検版結果出力手段と、
前記校正出力工程および前記最終出力工程での出力のための機器および出力方式を示す印刷指令データと、前記画像比較手段により実行されるべき画像比較処理を示す検版指令データとを含む指令データを受け取り解釈する指令解釈手段と
を備え、
前記画像比較手段は、予め定められる複数の画像比較処理のうち、前記指令解釈手段により受け取られる検版指令データが示す画像比較処理を実行することを特徴とする、検版装置。
【請求項２】  前記画像比較手段は、前記変換された最終出力物用画像データが示す画像と校正用画像データが示す画像とが所定の範囲内で一致する場合に画像の相違を検出しない画像比較処理であるあいまいな画像比較処理を実行することを特徴とする、請求項１に記載の検版装置。
【請求項３】  前記検版結果出力手段は、前記画像比較手段により画像の相違が検出される場合には、前記最終出力工程で警告表示がなされるように前記検出結果を出力することを特徴とする、請求項１に記載の検版装置。
【請求項４】  最終出力物を出力するための最終出力物用画像データが作成される最終出力工程と、当該最終出力物用画像データを校正するための校正用画像データが作成される校正出力工程とを含む製版工程で電子的な検版を行う検版方法であって、
前記最終出力物用画像データを保存する最終出力保存ステップと、
前記校正用画像データを保存する校正出力保存ステップと、
前記最終出力保存ステップで保存される最終出力物用画像データのデータ形式および解像度を、前記校正出力保存ステップで保存される校正用画像データのデータ形式および解像度に合わせる変換処理を行うことにより、変換された最終出力物用画像データを作成する変換ステップと、
前記変換された最終出力物用画像データと前記校正用画像データとを比較する画像比較処理を実行することにより、画像の相違を検出する画像比較ステップと、
前記画像比較ステップにより検出される画像の相違を示す検出結果を出力する検版結果出力ステップと、
前記校正出力工程および前記最終出力工程での出力のための機器および出力方式を示す印刷指令データと、前記画像比較ステップにより実行されるべき画像比較処理を示す検版指令データとを含む指令データを受け取り解釈する指令解釈ステップと
を含み、
前記画像比較ステップは、予め定められる複数の画像比較処理のうち、前記指令解釈ステップにより受け取られる検版指令データが示す画像比較処理を実行することを特徴とする、検版方法。
【請求項５】  最終出力物を出力するための最終出力物用画像データが作成される最終出力工程と、当該最終出力物用画像データを校正するための校正用画像データが作成される校正出力工程とを含む製版工程で電子的な検版を行う検版装置に、
前記最終出力物用画像データを保存する最終出力保存ステップと、
前記校正用画像データを保存する校正出力保存ステップと、
前記最終出力保存ステップで保存される最終出力物用画像データのデータ形式および解像度を、前記校正出力保存ステップで保存される校正用画像データのデータ形式および解像度に合わせる変換処理を行うことにより、変換された最終出力物用画像データを作成する変換ステップと、
前記変換された最終出力物用画像データと前記校正用画像データとを比較する画像比較処理を実行することにより、画像の相違を検出する画像比較ステップと、
前記画像比較ステップにより検出される画像の相違を示す検出結果を出力する検版結果出力ステップと、
前記校正出力工程および前記最終出力工程での出力のための機器および出力方式を示す印刷指令データと、前記画像比較ステップにより実行されるべき画像比較処理を示す検版指令データとを含む指令データを受け取り解釈する指令解釈ステップと
を実行させ、
前記画像比較ステップでは、予め定められる複数の画像比較処理のうち、前記指令解釈ステップにより受け取られる検版指令データが示す画像比較処理を実行させるためのコンピュータプログラム。
【請求項６】  最終出力物を出力するための最終出力物用画像データが作成される最終出力工程と、当該最終出力物用画像データを校正するための校正用画像データが作成される校正出力工程とを含む製版工程で電子的な検版を行う検版装置に、
前記最終出力物用画像データを保存する最終出力保存ステップと、
前記校正用画像データを保存する校正出力保存ステップと、
前記最終出力保存ステップで保存される最終出力物用画像データのデータ形式および解像度を、前記校正出力保存ステップで保存される校正用画像データのデータ形式および解像度に合わせる変換処理を行うことにより、変換された最終出力物用画像データを作成する変換ステップと、
前記変換された最終出力物用画像データと前記校正用画像データとを比較する画像比較処理を実行することにより、画像の相違を検出する画像比較ステップと、
前記画像比較ステップにより検出される画像の相違を示す検出結果を出力する検版結果出力ステップと
前記校正出力工程および前記最終出力工程での出力のための機器および出力方式を示す印刷指令データと、前記画像比較ステップにより実行されるべき画像比較処理を示す検版指令データとを含む指令データを受け取り解釈する指令解釈ステップと
を実行させ、
前記画像比較ステップでは、予め定められる複数の画像比較処理のうち、前記指令解釈ステップにより受け取られる検版指令データが示す画像比較処理を実行させるためのプログラムを記録したコンピュータ読み取り可能な記録媒体。
【発明の詳細な説明】
【０００１】
【発明の属する技術分野】
本発明は、電子データを比較することにより電子的に検版を行う検版装置および検版方法に関する。
【０００２】
【従来の技術】
最近、文字やイラスト等の複数の部品が所定の位置にレイアウトされた編集レイアウトデータをＲＩＰ（Ｒａｓｔｅｒ  Ｉｍａｇｅ  Ｐｒｏｃｅｓｓｏｒ）展開した後に得られるディジタルデータ、例えばＴＩＦＦ（Ｔａｇｇｅｄ  Ｉｍａｇｅ  Ｆｉｌｅ  Ｆｏｒｍａｔ）形式の画像データを電子的に検版する検版装置がある。この検版装置は、製版工程の中で繰り返される修正が正しく行われているか否かをチェックする作業である検版作業を電子的に行うための装置である。
【０００３】
図５は、検版作業時に従来の検版装置へ与えられるディジタルデータの作成工程を説明するための概略的なブロック図である。図に示すように、初校時および再校時では同様の製版工程が行われる。この製版工程のうちの入力工程では、上記編集レイアウトデータをＲＩＰ展開したデジタル画像データが作成される。校正出力工程では、入力工程により作成されたディジタル画像データを校正するため、比較的低解像度のディジタル画像データに基づき簡易ＤＤＣＰ（Ｄｉｒｅｃｔ  Ｄｉｇｉｔａｌ  Ｃｏｌｏｒ  Ｐｒｏｏｆｅｒ）やカラープリンタなどによる紙出力が行われる。ＣＴＰ（Ｃｏｍｐｕｔｅｒ Ｔｏ Ｐｌａｔｅ）出力工程では、比較的高解像度のディジタル画像データに基づきプレートレコーダなどによる最終的な刷版出力が行われる。従来の検版装置は、この初校時のＣＴＰ出力工程で用いられるディジタル画像データと再校時のＣＴＰ出力工程で用いられるディジタル画像データとを受け取り、これらが示す画像の比較を行って相違点を検出することにより修正が正しく行われているか否かをチェックする。なお、ここでの初校とは、第１回目に作成された編集レイアウトデータに基づく製版工程の他、所定の修正が行われる直前の編集レイアウトデータに基づく製版工程を含み、再校とは第２回目に作成された編集レイアウトデータに基づく製版工程の他、初校に対して所定の修正が行われた後の編集レイアウトデータに基づく製版工程を含むものとする。
【０００４】
このように、従来の検版装置は、初校時の出力結果であるディジタル画像データと再校時の出力結果であるディジタル画像データとを比較して相違点を検出する構成により、修正時における操作ミスや文字化け等による修正の誤り、修正の抜け、または不必要な修正の有無などをチェックする。
【０００５】
【特許文献１】
特開平１０−１５４２３４号公報
【特許文献２】
特開２０００−２７２０７８号公報
【０００６】
【発明が解決しようとする課題】
ここで、従来の検版装置では、初校時または再校時のいずれかに、校正出力工程での出力結果とＣＴＰ出力工程での出力結果とを比較することによる検版作業が行われることはない。その理由および問題点について以下に説明する。
【０００７】
まず、ＣＴＰ出力工程ではその出力結果が当該製版工程における最終的なものであることから、当該出力結果を保存・管理することは通常行われる。しかし、校正出力工程ではその出力結果が校正のための一時的なものであることから、当該出力結果を保存・管理することは行われない。そのため、校正出力工程での出力結果とＣＴＰ出力工程での出力結果とを比較するためには、通常の場合とは異なり特別に校正出力工程での出力結果を保存・管理する必要がある。しかし、この作業はユーザにとって手間がかかり煩瑣である。
【０００８】
また、特別に校正出力工程での出力結果が保存・管理されたとしても、校正出力工程での出力結果とＣＴＰ出力工程での出力結果とは画像の解像度（例えばスクリーン線数）やデータ形式等が異なる。このため、これらの出力結果を単純に比較することはできない。
【０００９】
さらに、この検版作業は、初校と再校とを比較する通常の検版作業と異なり、通常は両出力結果が一致する。そのため、場合によりこの検版作業は意識的または無意識的に省略されることがある。また、この検版作業が行われる場合でも目視により簡易に行われることが多い。しかし、通常、顧客に手渡されチェックを受けるのは（紙に印刷された）校正出力工程での出力結果であるから、この校正出力工程での出力結果とＣＴＰ出力工程での出力結果とが相違することは許されないことが多い。したがって、この検版作業は常に行われるべきである。
【００１０】
そこで、本発明の目的は、ユーザに手間がかかることなく、かつ常に校正出力工程での出力結果とＣＴＰ出力工程での出力結果とを比較して画像の相違を検出する検版装置および検版方法を提供することである。
【００１１】
【課題を解決するための手段および発明の効果】
第１の発明は、最終出力物を出力するための最終出力物用画像データが作成される最終出力工程と、当該最終出力物用画像データを校正するための校正用画像データが作成される校正出力工程とを含む製版工程で電子的な検版を行う検版装置であって、
前記最終出力物用画像データを保存する最終出力保存手段と、
前記校正用画像データを保存する校正出力保存手段と、
前記最終出力保存手段に保存される最終出力物用画像データのデータ形式および解像度を、前記校正出力保存手段に保存される校正用画像データのデータ形式および解像度に合わせる変換処理を行うことにより、変換された最終出力物用画像データを作成する変換手段と、
前記変換された最終出力物用画像データと前記校正用画像データとを比較する画像比較処理を実行することにより、画像の相違を検出する画像比較手段と、
前記画像比較手段により検出される画像の相違を示す検出結果を出力する検版結果出力手段と、
前記校正出力工程および前記最終出力工程での出力のための機器および出力方式を示す印刷指令データと、前記画像比較手段により実行されるべき画像比較処理を示す検版指令データとを含む指令データを受け取り解釈する指令解釈手段と
を備え、
前記画像比較手段は、予め定められる複数の画像比較処理のうち、前記指令解釈手段により受け取られる検版指令データが示す画像比較処理を実行することを特徴とする。
【００１２】
このような第１の発明によれば、最終出力工程での最終出力物用画像データが適宜の解像度およびデータ形式に変換され、変換されたデータと校正出力工程での校正用画像データと比較されて画像の相違が検出される構成となっている。この構成により、ユーザに手間がかかることなく、かつ常に校正出力工程での出力結果と最終出力工程での出力結果とを比較して画像の相違を検出することができる。さらに、画像比較手段により実行されるべき画像比較処理を示す検版指令データを含む指令データにより画像比較処理が指定される構成により、ユーザは、行うべき検版作業に適した画像比較処理を任意に選択することができる。
【００１３】
第２の発明は、第１の発明において、
前記画像比較手段は、前記変換された最終出力物用画像データが示す画像と校正用画像データが示す画像とが所定の範囲内で一致する場合に画像の相違を検出しない画像比較処理であるあいまいな画像比較処理を実行することを特徴とする。
【００１４】
このような第２の発明によれば、変換された最終出力物用画像データが示す画像と校正用画像データが示す画像とがあいまいな画像比較処理により比較される構成である。この構成により、解像度やデータ形式が互いに異なることにより画像が完全には一致しない校正出力工程での出力結果と最終出力工程での出力結果とを比較する場合に画像の相違をより的確に検出することができる。
【００１５】
第３の発明は、第１の発明において、
前記検版結果出力手段は、前記画像比較手段により画像の相違が検出される場合には、前記最終出力工程で警告表示がなされるように前記検出結果を出力することを特徴とする。
【００１６】
このような第３の発明によれば、最終出力工程で例えばディスプレイ装置やログ表示に警告表示がなされる構成である。この構成により、最終出力工程で当該警告表示が必ずユーザの目に留まるため、画像の相違があることが見落とされない。
【００１７】
第４の発明は、最終出力物を出力するための最終出力物用画像データが作成される最終出力工程と、当該最終出力物用画像データを校正するための校正用画像データが作成される校正出力工程とを含む製版工程で電子的な検版を行う検版方法であって、
前記最終出力物用画像データを保存する最終出力保存ステップと、
前記校正用画像データを保存する校正出力保存ステップと、
前記最終出力保存ステップで保存される最終出力物用画像データのデータ形式および解像度を、前記校正出力保存ステップで保存される校正用画像データのデータ形式および解像度に合わせる変換処理を行うことにより、変換された最終出力物用画像データを作成する変換ステップと、
前記変換された最終出力物用画像データと前記校正用画像データとを比較する画像比較処理を実行することにより、画像の相違を検出する画像比較ステップと、
前記画像比較ステップにより検出される画像の相違を示す検出結果を出力する検版結果出力ステップと、
前記校正出力工程および前記最終出力工程での出力のための機器および出力方式を示す印刷指令データと、前記画像比較ステップにより実行されるべき画像比較処理を示す検版指令データとを含む指令データを受け取り解釈する指令解釈ステップと
を含み、
前記画像比較ステップは、予め定められる複数の画像比較処理のうち、前記指令解釈ステップにより受け取られる検版指令データが示す画像比較処理を実行することを特徴とする。
【００１８】
第５の発明は、最終出力物を出力するための最終出力物用画像データが作成される最終出力工程と、当該最終出力物用画像データを校正するための校正用画像データが作成される校正出力工程とを含む製版工程で電子的な検版を行う検版装置に、
前記最終出力物用画像データを保存する最終出力保存ステップと、
前記校正用画像データを保存する校正出力保存ステップと、
前記最終出力保存ステップで保存される最終出力物用画像データのデータ形式および解像度を、前記校正出力保存ステップで保存される校正用画像データのデータ形式および解像度に合わせる変換処理を行うことにより、変換された最終出力物用画像データを作成する変換ステップと、
前記変換された最終出力物用画像データと前記校正用画像データとを比較する画像比較処理を実行することにより、画像の相違を検出する画像比較ステップと、
前記画像比較ステップにより検出される画像の相違を示す検出結果を出力する検版結果出力ステップと、
前記校正出力工程および前記最終出力工程での出力のための機器および出力方式を示す印刷指令データと、前記画像比較ステップにより実行されるべき画像比較処理を示す検版指令データとを含む指令データを受け取り解釈する指令解釈ステップと
を実行させ、
前記画像比較ステップでは、予め定められる複数の画像比較処理のうち、前記指令解釈ステップにより受け取られる検版指令データが示す画像比較処理を実行させるためのコンピュータプログラムである。
【００１９】
第６の発明は、最終出力物を出力するための最終出力物用画像データが作成される最終出力工程と、当該最終出力物用画像データを校正するための校正用画像データが作成される校正出力工程とを含む製版工程で電子的な検版を行う検版装置に、
前記最終出力物用画像データを保存する最終出力保存ステップと、
前記校正用画像データを保存する校正出力保存ステップと、
前記最終出力保存ステップで保存される最終出力物用画像データのデータ形式および解像度を、前記校正出力保存ステップで保存される校正用画像データのデータ形式および解像度に合わせる変換処理を行うことにより、変換された最終出力物用画像データを作成する変換ステップと、
前記変換された最終出力物用画像データと前記校正用画像データとを比較する画像比較処理を実行することにより、画像の相違を検出する画像比較ステップと、
前記画像比較ステップにより検出される画像の相違を示す検出結果を出力する検版結果出力ステップと
前記校正出力工程および前記最終出力工程での出力のための機器および出力方式を示す印刷指令データと、前記画像比較ステップにより実行されるべき画像比較処理を示す検版指令データとを含む指令データを受け取り解釈する指令解釈ステップと
を実行させ、
前記画像比較ステップでは、予め定められる複数の画像比較処理のうち、前記指令解釈ステップにより受け取られる検版指令データが示す画像比較処理を実行させるためのプログラムを記録したコンピュータ読み取り可能な記録媒体である。
【００２０】
【発明の実施の形態】
以下、添付図面を参照して本発明の一実施形態について説明する。
＜１．全体構成＞
図１は、本発明の一実施形態に係る検版装置を含む製版システム全体の構成を示すブロック図である。この製版システムは、上記検版装置である検版用コンピュータ１０と、ＲＩＰ展開された製版用のディジタル画像データを出力する製版出力用コンピュータ２０と、校正用の印刷物を出力するＤＤＣＰ３１およびインクジェットプリンタ３２と、刷版であるプレートを出力するプレートレコーダ４０とを備えており、これらはＬＡＮ（Ｌｏｃａｌ  Ａｒｅａ  Ｎｅｔｗｏｒｋ）５０により相互に接続されている。
【００２１】
製版出力用コンピュータ２０は、キーボードやマウスなどの入力装置とＬＣＤやＣＲＴなどのディスプレイ装置とを含む一般的なコンピュータシステム（例えばパーソナルコンピュータやワークステーション）であり、文字やイラストなどの複数の部品データが所定位置にレイアウトされた編集レイアウトデータをＲＩＰ展開して得られるディジタル画像データを出力する。また、当該データに対応する製版工程での出力先（出力機器）や出力方式等のデータおよび検版に関するデータを含む指令のためのデータであるジョブチケットを発行する。このジョブチケットについては後述する。なお、このジョブチケットは、図示されないジョブチケット発行サーバとして機能するコンピュータにより発行される構成でもよい。
【００２２】
ＤＤＣＰ３１およびインクジェットプリンタ３２は、上記製版工程に含まれる校正出力工程で、校正の用に供するために上記ディジタル画像データを紙に印刷して出力する。プレートレコーダ４０は、上記製版工程に含まれるＣＴＰ出力工程で、上記ディジタル画像データに基づき刷版であるプレートを出力する。なお、図ではＤＤＣＰ３１、インクジェットプリンタ３２、およびプレートレコーダ４０は、ＬＡＮ５０に直接接続されるように示されるが、これらは実際にはそれぞれに対応する出力用サーバとして機能するコンピュータに接続されており、これらのコンピュータを介してＬＡＮ５０に接続される。
【００２３】
ここで、本製版システムの製版工程について、図２を参照して説明する。図２は、検版作業時に検版装置へ与えられるディジタル画像データの作成工程を説明するための概略的なブロック図である。図に示す入力工程では、製版出力用コンピュータ２０により、上記編集レイアウトデータをＲＩＰ展開したデジタルデータが作成される。校正出力工程では、入力工程により作成されたディジタル画像データを校正するための比較的低解像度のディジタル画像データ（例えば画像解像度が７２ｄｐｉであるＴＩＦＦ形式の画像データ）に基づき、ＤＤＣＰ３１またはインクジェットプリンタ３２により紙への印刷出力が行われる。同時に、このディジタル画像データはＬＡＮ５０を介して検版用コンピュータ１０に与えられる。具体的には、ＤＤＣＰ３１またはインクジェットプリンタ３２のための出力用サーバとして機能するコンピュータは、このディジタル画像データを一時的に保存するため、検版用コンピュータ１０からの指令に基づき、保存された当該データを検版用コンピュータ１０の所定の記憶領域（例えば所定のフォルダ）に送信する。また、ＣＴＰ出力工程では、高解像度のディジタル画像データ（例えば画像解像度が２４００ｄｐｉであるＤｏｔＴＩＦＦ（１ｂｉｔＴＩＦＦ）形式の画像データ）に基づきプレートレコーダ４０により最終的なプレート出力が行われる。同時にこのディジタル画像データも（プレートレコーダ４０のための出力用サーバとして機能するコンピュータにより）ＬＡＮ５０を介して検版用コンピュータ１０に与えられる。なお、本明細書中の解像度とは、広義の画像解像度を意味し、１インチ長に含まれるピクセルまたはドットの個数を示す出力解像度のほか、１インチ長に含まれる線の数を示すスクリーン線数を含むものとする。また、本製版工程では刷版としてのプレートが出力される構成であるが、刷版以外の最終出力物、例えばインクジェットプリンタ出力、フィルム、デジタル印刷機用画像データ、または２サイト運用時のファイル出力などの最終出力物が出力される構成であってもよい。次に、以上のようにディジタル画像データを受け取る検版用コンピュータ１０の構成および動作について説明する。
【００２４】
＜２．検版装置の構成および動作＞
本発明の一実施形態における検版装置としての検版用コンピュータ１０は、製版出力用コンピュータ２０と同様、キーボードやマウスなどの入力装置とＬＣＤやＣＲＴなどのディスプレイ装置とを含む一般的なコンピュータシステム（例えばパーソナルコンピュータやワークステーションなど）であり、ＣＤ−ＲＯＭなどの外部記憶媒体や通信回線を介してその内部のメモリに格納された所定のプログラムを実行することにより、以下の図３に示す各構成要素の機能が実現される。
【００２５】
図３は、本発明の一実施形態に係る検版装置の構成を示すブロック図である。この検版装置は、製版出力用コンピュータ２０から与えられるジョブチケットの指令内容を解釈するジョブチケット解釈部１０１と、校正出力工程での比較的低解像度のディジタル画像データを保存する校正出力保存部１０２と、ＣＴＰ出力工程での高解像度のディジタル画像データを保存するＣＴＰ出力保存部１０３と、ＣＴＰ出力保存部１０３に保存されるディジタル画像データのデータ形式を変換するデータ形式変換部１０４と、データ形式変換部１０４により変換された画像データの画像解像度を調整する画像解像度調整部１０５と、ジョブチケット解釈部１０１の解釈結果に基づき予め定められた画像比較のための画像比較処理を選択する比較処理選択部１０６と、比較処理選択部１０６により選択された画像比較処理に基づき、画像解像度調整部１０５により画像解像度が調整された画像データと校正出力保存部１０２により保存される画像データとを比較し画像の相違を検出する画像比較部１０７と、画像比較部１０７により検出された画像の相違の有無を出力する検版結果出力部１０８とを備える。
【００２６】
ジョブチケット解釈部１０１は、製版出力用コンピュータ２０からジョブチケットを受け取り、当該ジョブチケットの指令内容を解釈する。図４は、ジョブチケットの指令内容が表示された画面例を示す図である。この画面例はユーザにより設定されたジョブチケットの内容をユーザが確認するためのものであって、この画面例に示されるジョブチケットには処理の順番に対応する第１から第６までの項目が含まれている。第１の項目はプリフライトが行われるべきことを示す。プリフライトとは、画像やフォントについての編集レイアウトデータの整合性をインタープリタ処理前に自動的にチェックする処理である。第２の項目は入力インタープリタ処理が行われるべきことを示す。この入力インタープリタ処理により編集レイアウトデータがＲＩＰ展開されディジタル画像データが作成される。第３の項目は校正出力工程での印刷出力のための機器としてプリンタが選択されるべきことを示す。この項目が設定されることにより、インクジェットプリンタ３２から印刷された紙が出力される。なお、その際の印刷方式等については別途に設定されているものとする。第４の項目はＣＴＰ出力工程での出力のための機器としてプレートレコーダが選択されるべきことを示す。この項目が設定されることにより、プレートレコーダ４０から刷版であるプレートが出力される。なお、これら第１から第４までの項目は従来のジョブチケットにも含まれるものである。
【００２７】
これらに対して第５の項目は、本検版装置のための従来のジョブチケットにはない項目であって、行われるべき検版処理の対象、検版モード、および検版結果のレポート方法を示す。図の「検版対象＝４」の表示は、第４の項目に示されるプレートレコーダからプレートを出力するために与えられる高解像度のディジタル画像データを検版対象とするべきことを示す。また、図の「比較対象＝３」の表示は、第３の項目に示されるプリンタから印刷出力するために与えられる低解像度のディジタル画像データを検版の比較対象とするべきことを示す。なお、この比較対象は、任意のフォルダに格納される任意のファイルが指定されてもよい。したがって、ここで初校時のＣＴＰ出力工程でのディジタル画像データが比較対象として指定され、再校時のＣＴＰ出力工程でのディジタル画像データが検版対象として指定される場合には、初校時と再校時のプレート出力データを比較する従来の検版作業を本検版装置によって容易に行うことができる。さらに、図の「検版モード［あいまい比較度＝小］」の表示は、画像比較部１０７により実行されるべき画像比較処理を示す。このあいまい比較度と画像比較処理との関係については後述する。さらにまた、図の「レポート方法［アラート表示］」の表示は、検版結果出力部１０８により出力される検版結果の提示方法を示す。この提示方法についても後述する。なお、このレポート方法において処理停止が選択される場合には、プレートレコーダ４０のプレート出力が強制的に停止されるように構成される。第６の項目は最後に処理が終了することを示す。
【００２８】
ジョブチケット解釈部１０１は、以上の項目を含むジョブチケットの指令内容を解釈し、対応する指示を行う。すなわち、比較処理選択部１０６に対し、検版モードとして選択されたあいまい比較度が小である場合に対応する画像比較処理を選択するように指示を行う。また、検版結果出力部１０８に対し、レポート方法として選択されたアラート表示を行うように指示を行う。さらに、ＤＤＣＰ３１またはインクジェットプリンタ３２のための出力用サーバとして機能するコンピュータに一時的に保存される低解像度のディジタル画像データを校正出力保存部１０２に送信させ、プレートレコーダ４０のための出力用サーバとして機能するコンピュータに一時的に保存される高解像度のディジタル画像データをＣＴＰ出力保存部１０３に送信させるように指示を行う。なお、これらのデータの送信指示は、製版出力用コンピュータ２０や出力用サーバとして機能するコンピュータに含まれるジョブチケット解釈部により行われてもよい。
【００２９】
校正出力保存部１０２は、検版用コンピュータ１０に含まれるハードディスクまたは半導体メモリの所定領域に設けられており、上記指示により送信される低解像度のディジタル画像データを保存する。同様に、ＣＴＰ出力保存部１０３もハードディスクまたは半導体メモリの所定領域に設けられており、上記指示により送信される高解像度のディジタル画像データを保存する。
【００３０】
データ形式変換部１０４は、ＣＴＰ出力保存部１０３に保存される高解像度のディジタル画像データのデータ形式を、校正出力保存部１０２に保存される低解像度のディジタル画像データのデータ形式と同じになるように（または相互に比較可能となるように）変換する。例えば、ＣＴＰ出力保存部１０３に保存されるディジタル画像データが網点により構成されるＤｏｔＴＩＦＦ形式である場合、データ形式変換部１０４は、網点データをピクセルデータに変換する公知のディスクリーニング処理を実行することにより、上記ディジタル画像データを例えば３２ｂｉｔＴＩＦＦ形式のディジタル画像データに変換する。なお、この変換処理は、網点を１つずつコピーすることにより２値のビットマップデータに変換するコピードット処理など、その他の既知のデータ変換処理であってもよい。
【００３１】
画像解像度調整部１０５は、データ形式変換部１０４により変換されたディジタル画像データの画像解像度（例えば２４００ｄｐｉ）を、校正出力保存部１０２に保存される低解像度のディジタル画像データの画像解像度（例えば７２ｄｐｉ）と同じになるように調整する。具体的にはデータ形式変換部１０４により変換されたディジタル画像データに対してアフィン変換を行いその画像解像度を下げた（例えば７２ｄｐｉの）画像データを作成する。なお、このアフィン変換処理に代えて、公知の解像度変換処理が行われてもよい。
【００３２】
比較処理選択部１０６は、ジョブチケット解釈部１０１の解釈結果に基づき予め定められた画像比較のための画像比較処理を選択する。具体的には前述したように、比較処理選択部１０６にはジョブチケット解釈部１０１から検版モードとして選択されたあいまい比較度が小である場合に対応する画像比較処理を選択するように指示が与えられる。ここで、比較処理選択部１０６には、検版モードとして選択されるべきあいまい比較度が０である場合、小である場合、および大である場合に対応する第１から第３までの３つの画像比較処理が予め記憶されている。
【００３３】
第１の画像比較処理である、あいまい比較度が０である場合に対応する画像比較処理とは、例えば、両画像データを対応する画素毎に比較して全てが完全に一致しない場合には画像の相違を検出する処理である。すなわち、この画像比較処理ではあいまいさのない比較が行われる。
【００３４】
第２の画像比較処理である、あいまい比較度が小である場合に対応する画像比較処理とは、例えば、両画像データを同一座標の画素毎に比較して異なる画素が検出される場合には、当該画素近傍に一致する画素が検出されない場合に限り画像の相違を検出する処理である。すなわち、この画像比較処理では両画像データの対応する画素が同一の位置にない場合でも、当該画素近傍の所定の範囲内にあれば画像の相違が検出されないので、この処理は画素の位置に関してあいまいな画像比較処理である。
【００３５】
第３の画像比較処理である、あいまい比較度が大である場合に対応する画像比較処理とは、例えば、両画像データを同一座標の画素毎に比較して異なる画素が検出される場合には、当該画素近傍に一致する画素が検出されず、かつ当該画素と所定範囲内の色差を有する画素が当該画素近傍に検出されない場合に限り画像の相違を検出する処理である。すなわち、この画像比較処理では両画像データの対応する画素が同一の位置にない場合でも、当該画素近傍の所定の範囲内にあれば画像の相違が検出されず、また当該画素と所定範囲内の色差を有する画素が当該画素近傍にあれば画像の相違が検出されないので、この処理は画素の位置および色差に関してあいまいな画像比較処理である。なお、これらの処理は例示であって、画像の相違を検出するための比較処理であれば公知の手法が組み合わされてまたは上記処理に代えて用いられてもよい。例えば、第３のあいまい比較度が大である場合に対応する画像比較処理とは、上記処理に代えて、両画像データの色平均値を所定のブロック毎に算出して差分値を求めこの差分値が所定の閾値を超える場合には当該所定のブロックに画像の相違を検出する処理であってもよい。
【００３６】
比較処理選択部１０６は、これらの３つの比較処理からジョブチケット解釈部１０１の指示に基づき検版モードとして選択された画像比較処理を選択する。図４に示すジョブチケットの例では、検版モードとして選択されたあいまい比較度が小である場合に対応する画像比較処理が選択される。
【００３７】
画像比較部１０７は、比較処理選択部１０６により選択された比較処理（図４に示すジョブチケットの例ではあいまい比較度が小である場合に対応する上記第２の画像比較処理）に基づき、画像解像度調整部１０５により画像解像度が調整された画像データと、校正出力保存部１０２により保存される画像データとを比較し画像の相違を検出する。ここで、画像比較部１０７は、少なくとも画像の相違の有無を検出するが、さらに、画像の相違箇所、相違の程度、または相違の種類などを検出してもよい。
【００３８】
検版結果出力部１０８は、ジョブチケット解釈部１０１の指示に基づき、画像比較部１０７により検出された画像の相違の有無を出力する。ここでは、ジョブチケットに含まれるレポート方法としてアラート表示が指定されているため、ユーザに対するアラート表示、例えば、検版用コンピュータ１０やプレートレコーダ４０のための出力サーバとして機能するコンピュータに含まれるディスプレイ装置上に検出された画像の相違の有無を示す文字（例えば「不一致は検出されませんでした」という文字）や図形などを表示させる。
【００３９】
ここでもしジョブチケットに含まれるレポート方法としてログ表示が指定される場合には、検版結果出力部１０８は、プレートレコーダ４０の処理結果に関する情報が文字情報として記録されるログに対して、検出された画像の相違の有無を示す文字を書き込む。この場合、画像の相違が検出されたときにのみ、その旨の文字（例えば「校正出力と一致していません！」という文字）が書き込まれる構成であってもよい。また、このログ表示に代えてまたはこのログ表示とともに、プレートレコーダ４０のための出力サーバとして機能するコンピュータのディスプレイ装置に上記文字や図形などの警告が表示される構成であってもよい。
【００４０】
＜３．効果＞
上記一実施形態によれば、校正出力工程での低解像度のディジタル画像データとＣＴＰ出力工程での高解像度のディジタル画像データとが検版装置に保存され、かつ適宜に比較されて画像の相違が検出される構成となっている。この構成により、ユーザに手間がかかることなく、かつ常に校正出力工程での出力結果とＣＴＰ出力工程での出力結果とを比較して画像の相違を検出することができる。
【００４１】
また、上記一実施形態によれば、ジョブチケットの項目として、行われるべき検版処理の対象および検版結果のレポート方法の他、検版モードとして複数の画像比較処理のうちの１つが指定される構成となっている。この構成により、ユーザは、行うべき検版作業に適した画像比較処理を任意に選択することができる。
【００４２】
さらに、上記一実施形態によれば、ジョブチケットの指定に基づき、あいまいな画像比較処理として、あいまい比較度が小である場合に対応する（第２の）画像比較処理、またはあいまい比較度が大である場合に対応する（第３の）画像比較処理が実行される構成となっている。この構成により、解像度やデータ形式が互いに異なることにより画像が完全には一致しない校正出力工程での出力結果とＣＴＰ出力工程での出力結果とを比較する場合に画像の相違をより的確に検出することができる。
【００４３】
さらにまた、上記一実施形態によれば、ジョブチケットに含まれるレポート方法の指定に基づき、プレートレコーダ４０のための出力サーバとして機能するコンピュータのディスプレイ装置や処理結果を示すログに警告が表示される構成である。この構成により、プレートレコーダ４０から出力されたプレートが校正出力と異なることが必ずユーザの目に留まるため、画像の相違があることが見落とされない。
【００４４】
＜４．変形例＞
上記実施形態では、検版装置である検版用コンピュータ１０による指令に基づき、校正出力工程およびＣＴＰ出力工程でのディジタル画像データが出力用サーバとして機能するコンピュータから検版用コンピュータ１０に送信される構成とした。しかし、製版出力用コンピュータ２０により上記ディジタル画像データが出力される際に、同時またはその後に検版用コンピュータ１０に送信される構成としてもよい。また、検版用コンピュータ１０により製版出力用コンピュータ２０から上記ディジタル画像データが読み出される構成としてもよい。
【００４５】
上記実施形態では、ＣＴＰ出力保存部１０３に保存される高解像度のディジタル画像データのデータ形式がデータ形式変換部１０４により変換され、データ形式変換部１０４が変換したディジタル画像データの画像解像度が画像解像度調整部１０５により変換される構成とした。しかし、ＣＴＰ出力保存部１０３に保存される高解像度のディジタル画像データの画像解像度が画像解像度調整部１０５により変換され、画像解像度調整部１０５が変換したディジタル画像データのデータ形式がデータ形式変換部１０４により変換される構成であってもよいし、これらの変換が同時になされてもよい。
【００４６】
上記実施形態では、検版用コンピュータ１０が所定のプログラムを実行することにより、検版装置の各種構成要素をソフトウェア的に実現するように構成したが、これらの構成要素の一部または全部は、ＬＡＮ５０により接続される製版出力用コンピュータ２０を含む他の１つ以上のコンピュータにより実現されてもよい。
【図面の簡単な説明】
【図１】
本発明の一実施形態に係る検版装置を含む製版システム全体の構成を示すブロック図である。
【図２】
上記一実施形態に係る検版装置へ与えられるディジタル画像データの作成工程を説明するための概略的なブロック図である。
【図３】
上記一実施形態に係る検版装置の構成を示すブロック図である。
【図４】
上記一実施形態におけるジョブチケットの指令内容が表示された画面例を示す図である。
【図５】
従来の検版装置へ与えられるディジタルデータの作成工程を説明するための概略的なブロック図である。
【符号の説明】
１０  …検版用コンピュータ
２０  …製版出力用コンピュータ
３１  …ＤＤＣＰ
３２  …インクジェットプリンタ
４０  …プレートレコーダ
５０  …ＬＡＮ
１０１…ジョブチケット解釈部
１０２…校正出力保存部
１０３…ＣＴＰ出力保存部
１０４…データ形式変換部
１０５…画像解像度調整部
１０６…比較処理選択部
１０７…画像比較部
１０８…検版結果出力部